(57)【要約】【課題】狭い場所でも使用できる筋力鍛錬具を得る。【解決手段】二箇の輪と紐状弾性体で構成した筋力鍛錬具において、紐状弾性体がゴムチユーブであることを特徴とし、前記ゴムチユーブを二箇の輪に捲き掛けし、端部を連結片に挿入する。【選択図】図１
2006271918.tif 000002
【特許請求の範囲】
【請求項１】
二箇の輪と紐状弾性体で構成した筋力鍛錬具において、紐状弾性体がゴムチユーブであることを特徴とし、前記ゴムチユーブを二箇の輪に捲き掛けし、端部を連結片に挿入し連結して構成した筋力鍛錬具。
【請求項２】
二箇の輪に、一本のゴムチユーブを複数回捲き掛けして構成したことを特徴とする請求項１記載の筋力鍛錬具。
【請求項３】
二箇の輪に、複数本のゴムチユーブを捲き掛けして構成したことを特徴とする請求項１記載の筋力鍛錬具。
【請求項４】
輪が、折り畳み自在であることを特徴とする請求項１〜３記載のうち、いずれか一項記載の筋力鍛錬具。
【請求項５】
輪が、ベルト形状であることを特徴とする請求項１〜３記載のうち、いずれか一項記載の筋力鍛錬具。
【発明の詳細な説明】
【技術分野】
【０００１】  本発明は、狭い場所でも使用できるよう、チユーブを使用した筋力鍛錬具に関する。
【背景技術】
【０００２】  従来のチユーブを使用した筋力鍛錬具には、各種のものが知られているが、チユーブの両端部を手で握つたり、両端部に結び目や輪を形成して、形成部分を手で握つて使用している。（例えば、非特許文献１参照）
また、チユーブにハンドルや帯状部材や足裏当て板を設け、腕や脚を鍛錬するものもある。更に、当発明者が出願した、二つのリングをゴム紐で連結し、ゴム紐の外周をゴム入り織物のベルトを筒状に形成したカバーを取り付けたものもある。（例えば特許文献１〜４参照）【０００３】
【非特許文献１】  株式会社デイエム商会カタログ
【特許文献１】  実登３０３６９７９
【特許文献２】  特開２００５−４０２０９
【特許文献３】  特許３３５５５９９
【特許文献４】  意匠登録１２３４７５３
【発明の開示】
【発明が解決しようとする課題】
【０００４】  以上に述べた従来のチユーブやゴム紐を使用した筋力鍛錬具では、チユーブやゴム紐が可能な限り伸びるように構成されているので、狭い場所では回りの人の迷惑になり使用できなかつた。また意匠登録１２３４７５３のものは、リングとリングをゴム紐を捲き掛けしてゴム紐の端部を緊縛したものである。しかしフアツシヨン性に欠けるためカバーを取り付けたものであるが、手間、コストがかかるという欠点があつた。【０００５】  ところで近年、航空機による長時間の旅行でエコノミークラス症候群（肺動脈血栓塞栓症）で死亡する人が増え、深刻な問題となつている。原因はすでに解明されており、いかにして、脚の血管の血液の流れを円滑にできるか、航空会社も機内で手足を動かすよう、放映したり注意を促している。しかし、狭い機内で回りに迷惑を掛けずに使用でき、収納、携帯が容易で血流循環効果の高く、且つ低コストで製作できるものはまだ開発されていない。【０００６】  本発明は、このような従来の構成及び現状が有していた問題を解決しようとするものであり、狭い場所、主として航空機内で回りの人に迷惑をかけないように、腕や脚を小幅に動かしても、血液の循環を良くし、収納、携帯が容易で且つ低コストで製作できる筋力鍛錬具を実現することを目的とする。
【課題を解決するための手段】
【０００７】  そして、本発明は上記目的を達成するために、二つの輪と紐状弾性体で構成した筋力鍛錬具において、紐状弾性体がゴムチユーブであることを特徴とし、前記ゴムチユーブを二つの輪に捲き掛けし、端部を連結片に挿入し連結したものである。そしてゴムチユーブは複数本を配設して両面マジツクテープで束ねたものである。束ねたゴムチユーブは太さにもよるが、６本から８本が好適である。２本から４本にする場合は太めのものにするとよい。輪と輪に掛けるゴムチユーブの長さは、複数本を束ねることによつて短くすることができる。【０００８】  捲き掛ける方法は、二つの輪に一本のゴムチユーブで複数回捲き掛けするか、二つの輪に複数本のゴムチユーブを捲きかける。また連結片の直径はゴムチユーブの内径より大にするとよい。連結片の直径とゴムチユーブの内径が同一の場合は、連結部をテーピングして固定するとよい。輪は、中空なプラスチツクで製作しており、輪を折り畳み自在のものは、収納に一層便利である。また輪がベルト形状のものは、使用する人の脚や腕の太さに合わせて調整することができる。
【作用】
【０００９】  今、本発明を使用するには、図４、５に示すようにする。
（Ａ）図１のものの場合、二つの輪に両脚を入れる。図５（ａ）
（Ｂ）図１のものの場合、一つの輪を足に掛け、他の輪は手で握る。図５（ｂ）
（Ｃ）図３のものの場合、片方の脚にチユーブを捲き掛け、他方の脚を二つの輪に入れる。図５（ｃ）
（Ｄ）図３のものの場合、二つの輪を夫々手で握り、チユーブの中間部に足を乗せる。図５（ｄ）
（Ｅ）図４のものの場合、左右夫々二つのビニールチユーブを手で円形状に形成し、脚をいれる。
【００１０】  上記の状態を動作するには、参考図の矢印で示すように両脚を左右交互に動かし、又は片脚を前方に押し出し、筋肉に負荷を掛け、ミルキングアクシヨンにより血流を潤滑にする。ゴムチユーブの両端部は連結片で連結しているが、連結片の外径がゴムチユーブの内径より大であるため、引張してもゴムチユーブと連結片の接触部の摩擦抵抗によりゴムチユーブが抜けることはない。またゴムチユーブの内径と連結片の外径が同一のものも、テープでテーピングして固定するので抜けることはない。前記した連結方法の発明により、輪と輪の間隔を短かく構成しても、ゴムチユーブを複数本を束ねて使用することが可能になり引張力を大にすることができる。そして左右、前方共に小幅に引張するだけで筋肉に対する負荷を充分に付与することができ、血流を潤滑にすることができ、狭い場所でも回りの人に迷惑を掛けることなく使用できる。
【発明の効果】
【００１１】  上述したように本発明の筋力鍛錬具は、ゴムチユーブとゴムチユーブを連結片により連結可能となつたので、複数のゴムチユーブを束ねて形成でき、小幅な伸縮でも高い負荷を筋肉に与えることができるので、血液の潤滑を良くすることができる。同時に、輪と輪の間隔が短かい構成にすることができるので、小幅な動作で操作でき、回りに迷惑を掛けることがない。不使用時には、折り畳み収納、携帯に便利である。また構造が簡素になり低コストで製作できる。
【発明を実施するための最良の形態】
【００１２】  図１、２、においては、１はプラスチツク材の中空の輪である。２はゴムチユーブである。３は丸棒の連結片で、ゴムチユーブ２の内径より大き目の外径を形成している。ゴムチユーブ２の両端の口部７に連結片３を２分の１ずつ挿入して連結する。ゴムチユーブ２は二箇の輪１に交互に捲き掛けしてゴムチユーブ２の端部を連結片３で連結し、輪１と輪１の中間の複数のゴムチユーブ２を両面マジツクテープ４で束ねて構成している。【００１３】  図３においては、複数本のゴムチユーブ２の両端部を連結片３で連結しているが、連結片３の外径とゴムチユーブ２の内径が同一で、連結部分をテープ８でテーピングしているものである。【００１４】  図４においては、５は透明なビニールチユーブである。６は紐である。ビニールチユーブ５に紐６を通し、端部を緊縛し手で円形状に形成可能なように構成している。【００１５】  図５においては、９はマジツクテープ１０を具備した取り付けバンドである。脚や腕に装着し、その太さに合わせてマジツクテープ１０を接着する。
【図面の簡単な説明】
【００１６】
【図１】  本発明の実施の形態を示す斜視図
【図２】  図１のＩＩ矢視における部分拡大説明図
【図３】  複数本のゴムチユーブを使用した場合の連結方法の説明図
【図４】  折り畳み輪の状態を示す説明図
【図５】  取り付けバンドの実施の形態を示す斜視図
【図６】  （ａ〜ｄ）使用状態を示す参考図
【符号の説明】
【００１７】    １  輪                              ７  口部
２  ゴムチユーブ                    ８  テープ
３  連結片                          ９  取り付けバンド
４  両面マジツクテープ            １０  マジツクテープ
５  ビニールチユーブ
６  紐
【図１】
2006271918.tif 000003
【図２】
2006271918.tif 000004
【図３】
2006271918.tif 000005
【図４】
2006271918.tif 000006
【図５】
2006271918.tif 000007
【図６】
2006271918.tif 000008